(57)【特許請求の範囲】
【請求項１】
移動通信ネットワーク側から配信対象である複数の移動通信端末へコンテンツを同報配信するコンテンツ配信システムであって、
前記ネットワーク側に、前記複数の移動通信端末のうち同報配信された前記コンテンツの受信に失敗した各移動通信端末に対して前記コンテンツを個別に再配信する再配信手段を含み、
前記複数の移動通信端末の各々は、同報配信された前記コンテンツの受信に失敗した場合に前記コンテンツの再配信を前記ネットワーク側に要求する再配信要求手段を有し、前記再配信手段は、前記再配信要求手段からの再配信要求に応答して前記コンテンツの再配信をなし、
前記コンテンツは、前記ネットワーク側において前記複数の移動通信端末の各々の正当性の確認がなされた後に同報配信され、前記再配信要求手段は、前記コンテンツの再配信を要求する際に、この再配信要求手段を有する移動通信端末が前記正当性確認のために前記ネットワーク側に送信した情報又は前記ネットワーク側から受信した情報を前記ネットワーク側に送信し、前記再配信手段は、前記再配信要求手段からの前記情報を基に前記コンテンツの再配信の可否を判定することを特徴とするコンテンツ配信システム。
【請求項２】
前記再配信要求手段は、前記コンテンツの再配信を要求する際に、前記情報に代えてこの再配信要求手段を有する移動通信端末が前記正当性確認時に存在していたセルを示す情報を送信することを特徴とする請求項１記載のコンテンツ配信システム。
【請求項３】
前記コンテンツの同報配信は、前記コンテンツを構成する個々のデータを順次同報配信することにより行われており、前記再配信要求手段は、同報配信された前記データのうち受信に失敗した各データの再配信を要求し、前記再配信手段は、前記再配信要求手段が再配信を要求する各データを再配信することを特徴とする請求項１または２記載のコンテンツ配信システム。
【請求項４】
前記コンテンツを構成する前記データにはそれらの連続性を示す順番情報がそれぞれ付加されており、前記再配信要求手段は、前記順番情報を基に同報配信された前記データのうち受信に失敗した各データを認識することを特徴とする請求項３記載のコンテンツ配信システム。
【請求項５】
前記再配信要求手段は、同報配信された前記データのうち受信に失敗した各データの前記順番情報及び受信に成功した各データの前記順番情報の少なくとも一方を送信することにより再配信を要求し、前記再配信手段は、前記再配信要求手段からの前記順番情報を基に再配信をなすことを特徴とする請求項４記載のコンテンツ配信システム。
【請求項６】
前記再配信手段は、前記再配信要求手段が再配信を要求する各データの前記順番情報のうち最も小さな順番情報から最も大きな順番情報までの各順番情報が付加されたデータを１つのデータとして再配信することを特徴とする請求項５記載のコンテンツ配信システム。
【請求項７】
前記再配信手段は、“再配信を要求した前記再配信要求手段を有する移動通信端末が受信に失敗したセグメント数／当該移動通信端末が受信に成功したセグメント数”が所定の閾値以上のとき、再配信をなした後に前記コンテンツを構成するデータのうち未配信データ又は同報配信が予定されている別のコンテンツを当該移動通信端末に対して個別に配信することを特徴とする請求項３〜６いずれか記載のコンテンツ配信システム。
【請求項８】
前記コンテンツの同報配信中である場合、前記再配信手段による再配信は前記コンテンツの同報配信と並行して行われることを特徴とする請求項１〜７いずれか記載のコンテンツ配信システム。
【請求項９】
前記再配信手段は、前記再配信要求手段からの再配信要求に応答して、再配信をなす前にこの再配信要求手段を有する移動通信端末のユーザに再配信を実行するか否かを判断させるための再配信判断用情報を生成し当該移動通信端末に送信することを特徴とする請求項１〜８いずれか記載のコンテンツ配信システム。
【請求項１０】
前記再配信判断用情報は、前記再配信手段による再配信に要する時間及びコストの少なくとも一方を含むことを特徴とする請求項９記載のコンテンツ配信システム。
【請求項１１】
前記再配信手段による再配信は個別チャネルを用いて行われ、前記コンテンツの同報配信は同報チャネルを用いて行われ、前記個別チャネルのデータ伝送速度は前記同報チャネルのデータ伝送速度より大であることを特徴とする請求項１〜１０いずれか記載のコンテンツ配信システム。
【請求項１２】
移動通信ネットワーク側から配信対象である複数の移動通信端末へコンテンツを同報配信するコンテンツ配信システムであって、
前記ネットワーク側に、前記複数の移動通信端末のうち同報配信された前記コンテンツの受信に失敗した各移動通信端末に対して前記コンテンツを個別に再配信する再配信手段を含み、
前記複数の移動通信端末の各々は、同報配信された前記コンテンツの受信に失敗した場合に前記コンテンツの再配信を前記ネットワーク側に要求する再配信要求手段を有し、前記再配信手段は、前記再配信要求手段からの再配信要求に応答して前記コンテンツの再配信をなし、
前記コンテンツの同報配信は、前記コンテンツを構成する個々のデータを順次同報配信することにより行われており、前記再配信要求手段は、同報配信された前記データのうち受信に失敗した各データの再配信を要求し、前記再配信手段は、前記再配信要求手段が再配信を要求する各データを再配信し、
前記コンテンツを構成する前記データにはそれらの連続性を示す順番情報がそれぞれ付加されており、前記再配信要求手段は、前記順番情報を基に同報配信された前記データのうち受信に失敗した各データを認識し、
前記再配信要求手段は、同報配信された前記データのうち受信に失敗した各データの前記順番情報及び受信に成功した各データの前記順番情報の少なくとも一方を送信することにより再配信を要求し、前記再配信手段は、前記再配信要求手段からの前記順番情報を基に再配信をなし、
前記再配信手段は、前記再配信要求手段が再配信を要求する各データの前記順番情報のうち最も小さな順番情報から最も大きな順番情報までの各順番情報が付加されたデータを１つのデータとして再配信することを特徴とするコンテンツ配信システム。
【請求項１３】
前記再配信手段は、“再配信を要求した前記再配信要求手段を有する移動通信端末が受信に失敗したセグメント数／当該移動通信端末が受信に成功したセグメント数”が所定の閾値以上のとき、再配信をなした後に前記コンテンツを構成するデータのうち未配信データ又は同報配信が予定されている別のコンテンツを当該移動通信端末に対して個別に配信することを特徴とする請求項１２記載のコンテンツ配信システム。
【請求項１４】
移動通信ネットワーク側から配信対象である複数の移動通信端末へコンテンツを同報配信するコンテンツ配信システムであって、
前記ネットワーク側に、前記複数の移動通信端末のうち同報配信された前記コンテンツの受信に失敗した各移動通信端末に対して前記コンテンツを個別に再配信する再配信手段を含み、
前記複数の移動通信端末の各々は、同報配信された前記コンテンツの受信に失敗した場合に前記コンテンツの再配信を前記ネットワーク側に要求する再配信要求手段を有し、前記再配信手段は、前記再配信要求手段からの再配信要求に応答して前記コンテンツの再配信をなし、
前記コンテンツの同報配信は、前記コンテンツを構成する個々のデータを順次同報配信することにより行われており、前記再配信要求手段は、同報配信された前記データのうち受信に失敗した各データの再配信を要求し、前記再配信手段は、前記再配信要求手段が再配信を要求する各データを再配信し、
前記再配信手段は、“再配信を要求した前記再配信要求手段を有する移動通信端末が受信に失敗したセグメント数／当該移動通信端末が受信に成功したセグメント数”が所定の閾値以上のとき、再配信をなした後に前記コンテンツを構成するデータのうち未配信データ又は同報配信が予定されている別のコンテンツを当該移動通信端末に対して個別に配信することを特徴とするコンテンツ配信システム。
【請求項１５】
移動通信ネットワーク側から配信対象である複数の移動通信端末へコンテンツを同報配信するコンテンツ配信システムであって、
前記ネットワーク側に、前記複数の移動通信端末のうち同報配信された前記コンテンツの受信に失敗した各移動通信端末に対して前記コンテンツを個別に再配信する再配信手段を含み、
前記複数の移動通信端末の各々は、同報配信された前記コンテンツの受信に失敗した場合に前記コンテンツの再配信を前記ネットワーク側に要求する再配信要求手段を有し、前記再配信手段は、前記再配信要求手段からの再配信要求に応答して前記コンテンツの再配信をなし、
前記再配信手段は、前記再配信要求手段からの再配信要求に応答して、再配信をなす前にこの再配信要求手段を有する移動通信端末のユーザに再配信を実行するか否かを判断させるための再配信判断用情報を生成し当該移動通信端末に送信することを特徴とするコンテンツ配信システム。
【請求項１６】
前記再配信判断用情報は、前記再配信手段による再配信に要する時間及びコストの少なくとも一方を含むことを特徴とする請求項１５記載のコンテンツ配信システム。
【請求項１７】
移動通信ネットワーク側から配信対象である複数の移動通信端末へコンテンツを同報配信するコンテンツ配信方法であって、
前記ネットワーク側に、前記複数の移動通信端末のうち同報配信された前記コンテンツの受信に失敗した各移動通信端末に対して前記コンテンツを個別に再配信する再配信ステップを含み、
前記複数の移動通信端末の各々は、同報配信された前記コンテンツの受信に失敗した場合に前記コンテンツの再配信を前記ネットワーク側に要求する再配信要求ステップを有し、前記再配信ステップは、前記再配信要求ステップによる再配信要求に応答して前記コンテンツの再配信をなし、
前記コンテンツは、前記ネットワーク側において前記複数の移動通信端末の各々の正当性の確認がなされた後に同報配信され、前記再配信要求ステップは、前記コンテンツの再配信を要求する際に、この再配信要求ステップを実行する移動通信端末が前記正当性確認のために前記ネットワーク側に送信した情報又は前記ネットワーク側から受信した情報を前記ネットワーク側に送信し、前記再配信ステップは、前記再配信要求ステップによる前記情報を基に前記コンテンツの再配信の可否を判定することを特徴とするコンテンツ配信方法。
【請求項１８】
前記再配信要求ステップは、前記コンテンツの再配信を要求する際に、前記情報に代えてこの再配信要求ステップを実行する移動通信端末が前記正当性確認時に存在していたセルを示す情報を送信することを特徴とする請求項１７記載のコンテンツ配信方法。
【請求項１９】
前記コンテンツの同報配信は、前記コンテンツを構成する個々のデータを順次同報配信することにより行われており、前記再配信要求ステップは、同報配信された前記データのうち受信に失敗した各データの再配信を要求し、前記再配信ステップは、前記再配信要求ステップが再配信を要求する各データを再配信することを特徴とする請求項１７または１８記載のコンテンツ配信方法。
【請求項２０】
前記コンテンツを構成する前記データにはそれらの連続性を示す順番情報がそれぞれ付加されており、前記再配信要求ステップは、前記順番情報を基に同報配信された前記データのうち受信に失敗した各データを認識することを特徴とする請求項１９記載のコンテンツ配信方法。
【請求項２１】
前記再配信要求ステップは、同報配信された前記データのうち受信に失敗した各データの前記順番情報及び受信に成功した各データの前記順番情報の少なくとも一方を送信することにより再配信を要求し、前記再配信ステップは、前記再配信要求ステップにより送信された前記順番情報を基に再配信をなすことを特徴とする請求項２０記載のコンテンツ配信方法。
【請求項２２】
前記再配信ステップは、前記再配信要求ステップが再配信を要求する各データの前記順番情報のうち最も小さな順番情報から最も大きな順番情報までの各順番情報が付加されたデータを１つのデータとして再配信することを特徴とする請求項２１記載のコンテンツ配信方法。
【請求項２３】
前記再配信ステップは、“前記再配信要求ステップにより再配信を要求した移動通信端末が受信に失敗したセグメント数／当該移動通信端末が受信に成功したセグメント数”が所定の閾値以上のとき、再配信をなした後に前記コンテンツを構成するデータのうち未配信データ又は同報配信が予定されている別のコンテンツを当該移動通信端末に対して個別に配信することを特徴とする請求項１９〜２２いずれか記載のコンテンツ配信方法。
【請求項２４】
前記コンテンツの同報配信中である場合、前記再配信ステップによる再配信は前記コンテンツの同報配信と並行して行われることを特徴とする請求項１７〜２３いずれか記載のコンテンツ配信方法。
【請求項２５】
前記再配信ステップは、前記再配信要求ステップによる再配信要求に応答して、再配信をなす前にこの再配信要求ステップを実行する移動通信端末のユーザに再配信を実行するか否かを判断させるための再配信判断用情報を生成し当該移動通信端末に送信することを特徴とする請求項１７〜２４いずれか記載のコンテンツ配信方法。
【請求項２６】
前記再配信判断用情報は、前記再配信ステップによる再配信に要する時間及びコストの少なくとも一方を含むことを特徴とする請求項２５記載のコンテンツ配信方法。
【請求項２７】
前記再配信ステップによる再配信は個別チャネルを用いて行われ、前記コンテンツの同報配信は同報チャネルを用いて行われ、前記個別チャネルのデータ伝送速度は前記同報チャネルのデータ伝送速度より大であることを特徴とする請求項１７〜２６いずれか記載のコンテンツ配信方法。
【請求項２８】
移動通信ネットワーク側から配信対象である複数の移動通信端末へコンテンツを同報配信するコンテンツ配信方法であって、
前記ネットワーク側に、前記複数の移動通信端末のうち同報配信された前記コンテンツの受信に失敗した各移動通信端末に対して前記コンテンツを個別に再配信する再配信ステップを含み、
前記複数の移動通信端末の各々は、同報配信された前記コンテンツの受信に失敗した場合に前記コンテンツの再配信を前記ネットワーク側に要求する再配信要求ステップを有し、前記再配信ステップは、前記再配信要求ステップによる再配信要求に応答して前記コンテンツの再配信をなし、
前記コンテンツの同報配信は、前記コンテンツを構成する個々のデータを順次同報配信することにより行われており、前記再配信要求ステップは、同報配信された前記データのうち受信に失敗した各データの再配信を要求し、前記再配信ステップは、前記再配信要求ステップが再配信を要求する各データを再配信し、
前記コンテンツを構成する前記データにはそれらの連続性を示す順番情報がそれぞれ付加されており、前記再配信要求ステップは、前記順番情報を基に同報配信された前記データのうち受信に失敗した各データを認識し、
前記再配信要求ステップは、同報配信された前記データのうち受信に失敗した各データの前記順番情報及び受信に成功した各データの前記順番情報の少なくとも一方を送信することにより再配信を要求し、前記再配信ステップは、前記再配信要求ステップにより送信された前記順番情報を基に再配信をなし、
前記再配信ステップは、前記再配信要求ステップが再配信を要求する各データの前記順番情報のうち最も小さな順番情報から最も大きな順番情報までの各順番情報が付加されたデータを１つのデータとして再配信することを特徴とするコンテンツ配信方法。
【請求項２９】
前記再配信ステップは、“前記再配信要求ステップにより再配信を要求した移動通信端末が受信に失敗したセグメント数／当該移動通信端末が受信に成功したセグメント数”が所定の閾値以上のとき、再配信をなした後に前記コンテンツを構成するデータのうち未配信データ又は同報配信が予定されている別のコンテンツを当該移動通信端末に対して個別に配信することを特徴とする請求項２８記載のコンテンツ配信方法。
【請求項３０】
移動通信ネットワーク側から配信対象である複数の移動通信端末へコンテンツを同報配信するコンテンツ配信方法であって、
前記ネットワーク側に、前記複数の移動通信端末のうち同報配信された前記コンテンツの受信に失敗した各移動通信端末に対して前記コンテンツを個別に再配信する再配信ステップを含み、
前記複数の移動通信端末の各々は、同報配信された前記コンテンツの受信に失敗した場合に前記コンテンツの再配信を前記ネットワーク側に要求する再配信要求ステップを有し、前記再配信ステップは、前記再配信要求ステップによる再配信要求に応答して前記コンテンツの再配信をなし、
前記コンテンツの同報配信は、前記コンテンツを構成する個々のデータを順次同報配信することにより行われており、前記再配信要求ステップは、同報配信された前記データのうち受信に失敗した各データの再配信を要求し、前記再配信ステップは、前記再配信要求ステップが再配信を要求する各データを再配信し、
前記再配信ステップは、“前記再配信要求ステップにより再配信を要求した移動通信端末が受信に失敗したセグメント数／当該移動通信端末が受信に成功したセグメント数”が所定の閾値以上のとき、再配信をなした後に前記コンテンツを構成するデータのうち未配信データ又は同報配信が予定されている別のコンテンツを当該移動通信端末に対して個別に配信することを特徴とするコンテンツ配信方法。
【請求項３１】
移動通信ネットワーク側から配信対象である複数の移動通信端末へコンテンツを同報配信するコンテンツ配信方法であって、
前記ネットワーク側に、前記複数の移動通信端末のうち同報配信された前記コンテンツの受信に失敗した各移動通信端末に対して前記コンテンツを個別に再配信する再配信ステップを含み、
前記複数の移動通信端末の各々は、同報配信された前記コンテンツの受信に失敗した場合に前記コンテンツの再配信を前記ネットワーク側に要求する再配信要求ステップを有し、前記再配信ステップは、前記再配信要求ステップによる再配信要求に応答して前記コンテンツの再配信をなし、
前記再配信ステップは、前記再配信要求ステップによる再配信要求に応答して、再配信をなす前にこの再配信要求ステップを実行する移動通信端末のユーザに再配信を実行するか否かを判断させるための再配信判断用情報を生成し当該移動通信端末に送信することを特徴とするコンテンツ配信方法。
【請求項３２】
前記再配信判断用情報は、前記再配信ステップによる再配信に要する時間及びコストの少なくとも一方を含むことを特徴とする請求項３１記載のコンテンツ配信方法。
【請求項３３】
移動通信ネットワーク側から配信対象である複数の移動通信端末へコンテンツを同報配信し前記複数の移動通信端末のうち同報配信された前記コンテンツの受信に失敗した各移動通信端末へ前記コンテンツを再配信するコンテンツ配信システムにおける無線回線制御装置であって、
前記ネットワーク側において前記複数の移動通信端末の各々の正当性の確認がなされた後に前記コンテンツの同報配信をなすために当該無線回線制御装置の上位装置から送出される同報チャネル設定要求に応答して、当該無線回線制御装置に収容された基地局と前記複数の移動通信端末のうち前記基地局のセル内に存在する移動通信端末との間に同報チャネルを設定する同報チャネル設定手段と、
前記コンテンツの受信に失敗し前記コンテンツの再配信を要求する移動通信端末から送信される、当該移動通信端末が前記正当性確認のために前記ネットワーク側に送信した情報又は前記ネットワーク側から受信した情報を基に前記ネットワーク側において当該移動通信端末の正当性の確認がなされた後に前記コンテンツの再配信をなすために前記上位装置から送出される個別チャネル設定要求に応答して、前記基地局と前記複数の移動通信端末のうち前記基地局のセル内に存在し当該再配信の対象である移動通信端末の各々との間に個別チャネルを設定する個別チャネル設定手段とを含むことを特徴とする無線回線制御装置。
【請求項３４】
前記個別チャネル設定手段は、前記コンテンツの同報配信中に前記個別チャネル設定要求を受信した場合、前記同報チャネル設定手段により設定されている前記同報チャネルを維持しつつ前記個別チャネルを設定することを特徴とする請求項３３記載の無線回線制御装置。
【請求項３５】
前記個別チャネルのデータ伝送速度は前記同報チャネルのデータ伝送速度より大であることを特徴とする請求項３３又は３４記載の無線回線制御装置。
【請求項３６】
移動通信ネットワーク側から配信対象である複数の移動通信端末へコンテンツを同報配信し前記複数の移動通信端末のうち同報配信された前記コンテンツの受信に失敗した各移動通信端末へ前記コンテンツを再配信するコンテンツ配信システムにおける無線回線制御装置の動作をコンピュータにより実行させるためのプログラムであって、
前記ネットワーク側において前記複数の移動通信端末の各々の正当性の確認がなされた後に前記コンテンツの同報配信をなすために当該無線回線制御装置の上位装置から送出される同報チャネル設定要求に応答して、当該無線回線制御装置に収容された基地局と前記複数の移動通信端末のうち前記基地局のセル内に存在する移動通信端末との間に同報チャネルを設定する同報チャネル設定ステップと、
前記コンテンツの受信に失敗し前記コンテンツの再配信を要求する移動通信端末から送信される、当該移動通信端末が前記正当性確認のために前記ネットワーク側に送信した情報又は前記ネットワーク側から受信した情報を基に前記ネットワーク側において当該移動通信端末の正当性の確認がなされた後に前記コンテンツの再配信をなすために前記上位装置から送出される個別チャネル設定要求に応答して、前記基地局と前記複数の移動通信端末のうち前記基地局のセル内に存在し当該再配信の対象である移動通信端末の各々との間に個別チャネルを設定する個別チャネル設定ステップとを含むことを特徴とするプログラム。
【請求項３７】
前記個別チャネル設定ステップは、前記コンテンツの同報配信中に前記個別チャネル設定要求を受信した場合、前記同報チャネル設定ステップにより設定されている前記同報チャネルを維持しつつ前記個別チャネルを設定することを特徴とする請求項３６記載のプログラム。
【請求項３８】
前記個別チャネルのデータ伝送速度は前記同報チャネルのデータ伝送速度より大であることを特徴とする請求項３６又は３７記載のプログラム。
【発明の詳細な説明】
【０００１】
【発明の属する技術分野】
本発明はコンテンツ配信システム、コンテンツ配信方法、無線回線制御装置及びプログラムに関し、特に複数の移動通信端末に対してコンテンツの同報配信を行うコンテンツ配信システム、コンテンツ配信方法、無線回線制御装置及びプログラムに関する。
【０００２】
【従来の技術】
従来、文字、音楽、画像、コンピュータプログラム等のコンテンツをユーザ端末（携帯電話機等の移動通信端末）に配信する場合、同報チャネルを用いてコンテンツを同報配信している。
【０００３】
コンテンツを配信するために同報チャネルを用いる方式では、単一の無線資源を用いて該チャネルの信号が届く範囲内に存在するユーザ端末全てに対して同一のコンテンツを配信することが原理的に可能であり、各ユーザ端末毎に個々の無線資源を割り当てる方式と比較して無線資源的に高い使用効率を提供することが可能である。
【０００４】
【発明が解決しようとする課題】
しかしながら、無線信号の到達範囲は、そのサービスエリアの無線環境的制限、すなわち、カバレッジエリアの形状、建造物の有無或いは一時的な電波遮蔽物の移動等によって変化する。このような状況において全ユーザ端末へのコンテンツ配信の連続性を保証することは困難である。そこで、コンテンツ配信をより確実に行うために、基地局の送信電力を高めたり、ユーザ端末毎に異なる無線チャネルを割り当てたりすることが考えられる。
【０００５】
しかしながら、送信電力を高める場合、その電力増加によってユーザ端末の存在するエリア及びこれに隣接するエリアにおける他のユーザ端末に対する干渉電力が増加するので、結果的に収容可能なユーザ端末数が少なくなってしまう。また、ユーザ端末毎に異なる無線チャネルを割り当てる場合、ユーザ端末の数だけ無線チャネルを必要とするので、上述した同報チャネルを用いる方式と比較して無線資源の使用効率が低下してしまう。
【０００６】
また、コンテンツ配信をより確実に行うために、ユーザ端末が受信できなかったコンテンツをユーザ端末が網に対し要求しそれを同報チャネルを用いて再配信することも考えられる。しかし、この場合、コンテンツを正常に受信できたユーザ端末に対して新たなコンテンツを配信することを疎外する結果となりコンテンツの実時間性という観点から望ましいことではない。
【０００７】
ここで、配信コンテンツの分類として無料コンテンツと有料コンテンツが考えられるが、無料コンテンツの場合一時的あるいは長期的にコンテンツを受信できなかったとしても契約上の問題は生じないが、有料コンテンツの場合コンテンツを配信するという条件を遵守できないとなると契約上の問題が生ずることになる。したがって、特に有料コンテンツの場合にユーザ端末が受信に失敗したコンテンツを当該端末に再配信することは必須である。
【０００８】
しかしながら、ユーザ端末からの再配信要求に対し未配信コンテンツのみならず配信済みコンテンツを配信することはそれを送信するための無線チャネルの占有時間を消費し、結果的に収容可能ユーザ端末数を低下させることとなるので、再配信を要求するユーザ端末のみに選択的に再配信することが望まれる。
【０００９】
さらに、コンテンツの再配信はこのコンテンツの配信を登録した正当なユーザ端末のみに行われるべきであり、よって配信登録をしていない不当なユーザ端末が仮に再配信を要求したとしても、不当なユーザ端末に対しては再配信を行わないようにすることが望まれる。
【００１０】
本発明の目的は、コンテンツ配信の高い確実性と無線資源の有効使用を実現することができるコンテンツ配信システム、コンテンツ配信方法、無線回線制御装置及びプログラムを提供することにある。
【００１１】
【課題を解決するための手段】
本発明によるコンテンツ配信システムは、移動通信ネットワーク側から配信対象である複数の移動通信端末へコンテンツを同報配信するコンテンツ配信システムであって、前記ネットワーク側に、前記複数の移動通信端末のうち同報配信された前記コンテンツの受信に失敗した各移動通信端末に対して前記コンテンツを個別に再配信する再配信手段を含み、前記複数の移動通信端末の各々は、同報配信された前記コンテンツの受信に失敗した場合に前記コンテンツの再配信を前記ネットワーク側に要求する再配信要求手段を有し、前記再配信手段は、前記再配信要求手段からの再配信要求に応答して前記コンテンツの再配信をなし、前記コンテンツは、前記ネットワーク側において前記複数の移動通信端末の各々の正当性の確認がなされた後に同報配信され、前記再配信要求手段は、前記コンテンツの再配信を要求する際に、この再配信要求手段を有する移動通信端末が前記正当性確認のために前記ネットワーク側に送信した情報又は前記ネットワーク側から受信した情報を前記ネットワーク側に送信し、前記再配信手段は、前記再配信要求手段からの前記情報を基に前記コンテンツの再配信の可否を判定することを特徴とする。
【００１２】
また、本発明によるコンテンツ配信システムは、移動通信ネットワーク側から配信対象である複数の移動通信端末へコンテンツを同報配信するコンテンツ配信システムであって、前記ネットワーク側に、前記複数の移動通信端末のうち同報配信された前記コンテンツの受信に失敗した各移動通信端末に対して前記コンテンツを個別に再配信する再配信手段を含み、前記複数の移動通信端末の各々は、同報配信された前記コンテンツの受信に失敗した場合に前記コンテンツの再配信を前記ネットワーク側に要求する再配信要求手段を有し、前記再配信手段は、前記再配信要求手段からの再配信要求に応答して前記コンテンツの再配信をなし、前記コンテンツの同報配信は、前記コンテンツを構成する個々のデータを順次同報配信することにより行われており、前記再配信要求手段は、同報配信された前記データのうち受信に失敗した各データの再配信を要求し、前記再配信手段は、前記再配信要求手段が再配信を要求する各データを再配信し、前記コンテンツを構成する前記データにはそれらの連続性を示す順番情報がそれぞれ付加されており、前記再配信要求手段は、前記順番情報を基に同報配信された前記データのうち受信に失敗した各データを認識し、前記再配信要求手段は、同報配信された前記データのうち受信に失敗した各データの前記順番情報及び受信に成功した各データの前記順番情報の少なくとも一方を送信することにより再配信を要求し、前記再配信手段は、前記再配信要求手段からの前記順番情報を基に再配信をなし、前記再配信手段は、前記再配信要求手段が再配信を要求する各データの前記順番情報のうち最も小さな順番情報から最も大きな順番情報までの各順番情報が付加されたデータを１つのデータとして再配信することを特徴とする。
【００１３】
また、本発明によるコンテンツ配信システムは、移動通信ネットワーク側から配信対象である複数の移動通信端末へコンテンツを同報配信するコンテンツ配信システムであって、前記ネットワーク側に、前記複数の移動通信端末のうち同報配信された前記コンテンツの受信に失敗した各移動通信端末に対して前記コンテンツを個別に再配信する再配信手段を含み、前記複数の移動通信端末の各々は、同報配信された前記コンテンツの受信に失敗した場合に前記コンテンツの再配信を前記ネットワーク側に要求する再配信要求手段を有し、前記再配信手段は、前記再配信要求手段からの再配信要求に応答して前記コンテンツの再配信をなし、前記コンテンツの同報配信は、前記コンテンツを構成する個々のデータを順次同報配信することにより行われており、前記再配信要求手段は、同報配信された前記データのうち受信に失敗した各データの再配信を要求し、前記再配信手段は、前記再配信要求手段が再配信を要求する各データを再配信し、前記再配信手段は、“再配信を要求した前記再配信要求手段を有する移動通信端末が受信に失敗したセグメント数／当該移動通信端末が受信に成功したセグメント数”が所定の閾値以上のとき、再配信をなした後に前記コンテンツを構成するデータのうち未配信データ又は同報配信が予定されている別のコンテンツを当該移動通信端末に対して個別に配信することを特徴とする。
【００１４】
また、本発明によるコンテンツ配信システムは、移動通信ネットワーク側から配信対象である複数の移動通信端末へコンテンツを同報配信するコンテンツ配信システムであって、前記ネットワーク側に、前記複数の移動通信端末のうち同報配信された前記コンテンツの受信に失敗した各移動通信端末に対して前記コンテンツを個別に再配信する再配信手段を含み、前記複数の移動通信端末の各々は、同報配信された前記コンテンツの受信に失敗した場合に前記コンテンツの再配信を前記ネットワーク側に要求する再配信要求手段を有し、前記再配信手段は、前記再配信要求手段からの再配信要求に応答して前記コンテンツの再配信をなし、前記再配信手段は、前記再配信要求手段からの再配信要求に応答して、再配信をなす前にこの再配信要求手段を有する移動通信端末のユーザに再配信を実行するか否かを判断させるための再配信判断用情報を生成し当該移動通信端末に送信することを特徴とする。
【００１５】
本発明によるコンテンツ配信方法は、移動通信ネットワーク側から配信対象である複数の移動通信端末へコンテンツを同報配信するコンテンツ配信方法であって、前記ネットワーク側に、前記複数の移動通信端末のうち同報配信された前記コンテンツの受信に失敗した各移動通信端末に対して前記コンテンツを個別に再配信する再配信ステップを含み、前記複数の移動通信端末の各々は、同報配信された前記コンテンツの受信に失敗した場合に前記コンテンツの再配信を前記ネットワーク側に要求する再配信要求ステップを有し、前記再配信ステップは、前記再配信要求ステップによる再配信要求に応答して前記コンテンツの再配信をなし、前記コンテンツは、前記ネットワーク側において前記複数の移動通信端末の各々の正当性の確認がなされた後に同報配信され、前記再配信要求ステップは、前記コンテンツの再配信を要求する際に、この再配信要求ステップを実行する移動通信端末が前記正当性確認のために前記ネットワーク側に送信した情報又は前記ネットワーク側から受信した情報を前記ネットワーク側に送信し、前記再配信ステップは、前記再配信要求ステップによる前記情報を基に前記コンテンツの再配信の可否を判定することを特徴とする。
【００１６】
また、本発明によるコンテンツ配信方法は、移動通信ネットワーク側から配信対象である複数の移動通信端末へコンテンツを同報配信するコンテンツ配信方法であって、前記ネットワーク側に、前記複数の移動通信端末のうち同報配信された前記コンテンツの受信に失敗した各移動通信端末に対して前記コンテンツを個別に再配信する再配信ステップを含み、前記複数の移動通信端末の各々は、同報配信された前記コンテンツの受信に失敗した場合に前記コンテンツの再配信を前記ネットワーク側に要求する再配信要求ステップを有し、前記再配信ステップは、前記再配信要求ステップによる再配信要求に応答して前記コンテンツの再配信をなし、前記コンテンツの同報配信は、前記コンテンツを構成する個々のデータを順次同報配信することにより行われており、前記再配信要求ステップは、同報配信された前記データのうち受信に失敗した各データの再配信を要求し、前記再配信ステップは、前記再配信要求ステップが再配信を要求する各データを再配信し、前記コンテンツを構成する前記データにはそれらの連続性を示す順番情報がそれぞれ付加されており、前記再配信要求ステップは、前記順番情報を基に同報配信された前記データのうち受信に失敗した各データを認識し、前記再配信要求ステップは、同報配信された前記データのうち受信に失敗した各データの前記順番情報及び受信に成功した各データの前記順番情報の少なくとも一方を送信することにより再配信を要求し、前記再配信ステップは、前記再配信要求ステップにより送信された前記順番情報を基に再配信をなし、前記再配信ステップは、前記再配信要求ステップが再配信を要求する各データの前記順番情報のうち最も小さな順番情報から最も大きな順番情報までの各順番情報が付加されたデータを１つのデータとして再配信することを特徴とする。
【００１７】
また、本発明によるコンテンツ配信方法は、移動通信ネットワーク側から配信対象である複数の移動通信端末へコンテンツを同報配信するコンテンツ配信方法であって、前記ネットワーク側に、前記複数の移動通信端末のうち同報配信された前記コンテンツの受信に失敗した各移動通信端末に対して前記コンテンツを個別に再配信する再配信ステップを含み、前記複数の移動通信端末の各々は、同報配信された前記コンテンツの受信に失敗した場合に前記コンテンツの再配信を前記ネットワーク側に要求する再配信要求ステップを有し、前記再配信ステップは、前記再配信要求ステップによる再配信要求に応答して前記コンテンツの再配信をなし、前記コンテンツの同報配信は、前記コンテンツを構成する個々のデータを順次同報配信することにより行われており、前記再配信要求ステップは、同報配信された前記データのうち受信に失敗した各データの再配信を要求し、前記再配信ステップは、前記再配信要求ステップが再配信を要求する各データを再配信し、前記再配信ステップは、“前記再配信要求ステップにより再配信を要求した移動通信端末が受信に失敗したセグメント数／当該移動通信端末が受信に成功したセグメント数”が所定の閾値以上のとき、再配信をなした後に前記コンテンツを構成するデータのうち未配信データ又は同報配信が予定されている別のコンテンツを当該移動通信端末に対して個別に配信することを特徴とする。
【００１８】
また、本発明によるコンテンツ配信方法は、移動通信ネットワーク側から配信対象である複数の移動通信端末へコンテンツを同報配信するコンテンツ配信方法であって、前記ネットワーク側に、前記複数の移動通信端末のうち同報配信された前記コンテンツの受信に失敗した各移動通信端末に対して前記コンテンツを個別に再配信する再配信ステップを含み、前記複数の移動通信端末の各々は、同報配信された前記コンテンツの受信に失敗した場合に前記コンテンツの再配信を前記ネットワーク側に要求する再配信要求ステップを有し、前記再配信ステップは、前記再配信要求ステップによる再配信要求に応答して前記コンテンツの再配信をなし、前記再配信ステップは、前記再配信要求ステップによる再配信要求に応答して、再配信をなす前にこの再配信要求ステップを実行する移動通信端末のユーザに再配信を実行するか否かを判断させるための再配信判断用情報を生成し当該移動通信端末に送信することを特徴とする。
【００１９】
本発明による無線回線制御装置は、移動通信ネットワーク側から配信対象である複数の移動通信端末へコンテンツを同報配信し前記複数の移動通信端末のうち同報配信された前記コンテンツの受信に失敗した各移動通信端末へ前記コンテンツを再配信するコンテンツ配信システムにおける無線回線制御装置であって、前記ネットワーク側において前記複数の移動通信端末の各々の正当性の確認がなされた後に前記コンテンツの同報配信をなすために当該無線回線制御装置の上位装置から送出される同報チャネル設定要求に応答して、当該無線回線制御装置に収容された基地局と前記複数の移動通信端末のうち前記基地局のセル内に存在する移動通信端末との間に同報チャネルを設定する同報チャネル設定手段と、前記コンテンツの受信に失敗し前記コンテンツの再配信を要求する移動通信端末から送信される、当該移動通信端末が前記正当性確認のために前記ネットワーク側に送信した情報又は前記ネットワーク側から受信した情報を基に前記ネットワーク側において当該移動通信端末の正当性の確認がなされた後に前記コンテンツの再配信をなすために前記上位装置から送出される個別チャネル設定要求に応答して、前記基地局と前記複数の移動通信端末のうち前記基地局のセル内に存在し当該再配信の対象である移動通信端末の各々との間に個別チャネルを設定する個別チャネル設定手段とを含むことを特徴とする。
【００２０】
前記無線回線制御装置において、前記個別チャネル設定手段は、前記コンテンツの同報配信中に前記個別チャネル設定要求を受信した場合、前記同報チャネル設定手段により設定されている前記同報チャネルを維持しつつ前記個別チャネルを設定することを特徴とする。
【００２１】
本発明によるプログラムは、移動通信ネットワーク側から配信対象である複数の移動通信端末へコンテンツを同報配信し前記複数の移動通信端末のうち同報配信された前記コンテンツの受信に失敗した各移動通信端末へ前記コンテンツを再配信するコンテンツ配信システムにおける無線回線制御装置の動作をコンピュータにより実行させるためのプログラムであって、前記ネットワーク側において前記複数の移動通信端末の各々の正当性の確認がなされた後に前記コンテンツの同報配信をなすために当該無線回線制御装置の上位装置から送出される同報チャネル設定要求に応答して、当該無線回線制御装置に収容された基地局と前記複数の移動通信端末のうち前記基地局のセル内に存在する移動通信端末との間に同報チャネルを設定する同報チャネル設定ステップと、前記コンテンツの受信に失敗し前記コンテンツの再配信を要求する移動通信端末から送信される、当該移動通信端末が前記正当性確認のために前記ネットワーク側に送信した情報又は前記ネットワーク側から受信した情報を基に前記ネットワーク側において当該移動通信端末の正当性の確認がなされた後に前記コンテンツの再配信をなすために前記上位装置から送出される個別チャネル設定要求に応答して、前記基地局と前記複数の移動通信端末のうち前記基地局のセル内に存在し当該再配信の対象である移動通信端末の各々との間に個別チャネルを設定する個別チャネル設定ステップとを含むことを特徴とする。
【００２２】
前記プログラムにおいて、前記個別チャネル設定ステップは、前記コンテンツの同報配信中に前記個別チャネル設定要求を受信した場合、前記同報チャネル設定ステップにより設定されている前記同報チャネルを維持しつつ前記個別チャネルを設定することを特徴とする。
【００２３】
本発明の作用は次の通りである。移動通信ネットワーク側からコンテンツ配信対象の複数の移動通信端末にコンテンツが同報配信された場合に、この同報配信されたコンテンツの受信に失敗した端末は当該コンテンツの再配信を移動通信ネットワーク側に要求する。そして、移動通信ネットワーク側の再配信手段は、当該コンテンツを再配信を要求する端末に対して個別的に再配信するようにしている。
【００２４】
【発明の実施の形態】
以下に、本発明の実施例について図面を参照して説明する。
【００２５】
図１は本発明の第１の実施例によるコンテンツ配信システムの構成を示す図である。図１において、本発明の第１の実施例によるコンテンツ配信システムは、移動機（移動通信端末）であるＵＥ（Ｕｓｅｒ  Ｅｑｕｉｐｍｅｎｔ）１−１〜１−４と、基地局であるノード（Ｎｏｄｅ）Ｂ２−１及び２−２と、無線回線制御装置（基地局制御装置）であるＲＮＣ（Ｒａｄｉｏ  Ｎｅｔｗｏｒｋ  Ｃｏｎｔｒｏｌｌｅｒ）３と、パケット交換機能を有するｘＧＳＮ（ＳＧＳＮ：Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）  Ｓｕｐｐｏｒｔ  Ｎｏｄｅ、またはＧＧＳＮ：Ｇａｔｅｗａｙ  ＧＰＲＳ  Ｓｕｐｐｏｒｔ  Ｎｏｄｅ）４と、ＨＬＲ（Ｈｏｍｅ  Ｌｏｃａｔｉｏｎ  Ｒｅｇｉｓｔｅｒ）６と、コンテンツサーバ７とから構成される。
【００２６】
ｘＧＳＮ４及びＨＬＲ６は移動通信ネットワークのＣＮ（Ｃｏｒｅ  Ｎｅｔｗｏｒｋ）を構成し、ノードＢ２−１及び２−２とＲＮＣ３は移動通信ネットワークのＲＡＮ（Ｒａｄｉｏ  Ａｃｃｅｓｓ  Ｎｅｔｗｏｒｋ）を構成する。
【００２７】
ノードＢ２−１は、ノードＢ２−１のセル内に存在しているＵＥ１−１及び１−２の各々との間で無線通信を行い、ノードＢ２−２は、ノードＢ２−２のセル内に存在しているＵＥ１−３及び１−４の各々との間で無線通信を行う。ノードＢ２−１及び２−２を収容するＲＮＣ３は、ＵＥ１−１〜１−４の各々により送受信される信号を中継する機能と、各ノードＢと各ＵＥとの間で無線信号を伝送するための無線チャネルを割り当てる機能を有する。
【００２８】
パケット交換機能を有するｘＧＳＮ４には、コンテンツの再配信のためにコンテンツを記憶する再配信用バッファ５が設けられている。ＨＬＲ６は、移動機の移動性を保証しサービスを提供するために必要な各種情報（移動機へのルーチング情報、サービス契約情報等）を管理するデータベースである。コンテンツサーバ７は各種コンテンツを保持しており、このコンテンツが配信対象の各ＵＥに同報配信される。
【００２９】
図２は図１に示したコンテンツ配信システムのコンテンツ同報配信動作例を示すシーケンスチャートである。図１及び２において、ＵＥ１−１がコンテンツの配信を要求する場合、ＵＥ１−１から発せられたコンテンツの配信要求は、ノードＢ２−１及びＲＮＣ３を介してｘＧＳＮ４に受信される（ステップＡ１）。
【００３０】
ｘＧＳＮ４は、ＵＥ１−１からの配信要求に応答して、ＵＥ１−１の正当性の確認（ユーザ認証）のためにセキュリティパラメータ送信要求をＨＬＲ６に対して行う（ステップＡ２）。ＨＬＲ６は、ｘＧＳＮ４からのセキュリティパラメータ送信要求に応答して、セキュリティパラメータを生成し記憶する（ステップＡ３）。すなわち、ＨＬＲ６は、まず乱数を生成し、この乱数を基に認証演算を行う。なお、ＨＬＲ６は、認証演算に関するキーやアルゴリズムを予め保持している。
【００３１】
そして、ＨＬＲ６は、これら乱数及び演算結果をセキュリティパラメータ送信応答としてｘＧＳＮ４に送信する（ステップＡ４）。ｘＧＳＮ４は、これらを記憶すると共に（ステップＡ５）、乱数をＲＮＣ３及びノードＢ２−１を介してＵＥ１−１に送信する（ステップＡ６）。ＵＥ１−１は、ｘＧＳＮ４からの乱数を基に認証演算を行い演算結果を記憶する（ステップＡ７）。なお、ＵＥ１−１〜１−４の各々は、ＨＬＲ６と同様に、認証演算に関するキーやアルゴリズムを予め保持している。
【００３２】
ＵＥ１−１は、この演算結果をノードＢ２−１及びＲＮＣ３を介してｘＧＳＮ４に送信する（ステップＡ８）。ｘＧＳＮ４は、ＵＥ１−１からの演算結果とステップＡ５で記憶された演算結果を照合することにより、コンテンツをＵＥ１−１に配信するか否かを判断する（ステップＡ９）。すなわち、これら２つの演算結果が一致するならばＵＥ１−１は正当な端末であるので、ＵＥ１−１への配信を行うべくステップＡ１０〜ステップＡ１４に進み、これら２つの演算結果が一致しないならばＵＥ１−１は不当な端末であるので、ＵＥ１−１への配信を行わない。
【００３３】
ＵＥ１−２〜１−４の各々が配信要求を行う場合も、それぞれステップＡ１〜ステップＡ９の認証処理が行われることになる。例えば、ＵＥ１−１によるコンテンツの配信要求とほぼ同時にＵＥ１−２〜１−４も同一のコンテンツの配信をそれぞれ要求し、ステップＡ１〜ステップＡ９の認証処理によりｘＧＳＮ４がＵＥ１−１〜１−４の各々を正当な端末であると判断し、ＵＥ１−１〜１−４にコンテンツを配信する場合を考える。
【００３４】
この場合、ｘＧＳＮ４は、コンテンツを同報配信するためにＲＮＣ３に同報チャネルの設定を要求する（ステップＡ１０）。ＲＮＣ３は、ｘＧＳＮ４からの同報チャネル設定要求に応答して、ノードＢ２−１のセル内に存在するＵＥ１−１及び１−２に同報チャネルを割り当て、ノードＢ２−２のセル内に存在するＵＥ１−３及び１−４に同報チャネルを割り当てるための同報チャネル設定処理を行う（ステップＡ１１）。この同報チャネル設定処理により、ノードＢ２−１とＵＥ１−１及び１−２との間に同報チャネルが設定され、ノードＢ２−２とＵＥ１−３及び１−４との間に同報チャネルが設定される（ステップＡ１２）。
【００３５】
そして、ｘＧＳＮ４は、ＵＥ１−１〜１−４が配信を要求しているコンテンツの配信を開始するようコンテンツサーバ７に要求する（ステップＡ１３）。コンテンツサーバ７は、ｘＧＳＮ４からの配信要求に応答して、当該コンテンツを構成するデータセグメントを順次送信することにより当該コンテンツを配信する（ステップＡ１４）。コンテンツサーバ７により順次送信されたセグメントの各々は、ｘＧＳＮ４及びＲＮＣ３を介してノードＢ２−１及び２−２に受信され、ノードＢ２−１は、受信セグメントを同報チャネルを用いてＵＥ１−１及び１−２に送信し、ノードＢ２−２は、受信セグメントを同報チャネルを用いてＵＥ１−３及び１−４に送信する。このようにして、コンテンツがＵＥ１−１〜１−４に同報配信される。
【００３６】
なお、本発明の第１の実施例によるコンテンツ配信システムでは、ｘＧＳＮ４がバッファ５を用いて再配信を行うので、ステップＡ１４においてコンテンツサーバ７により送信されてｘＧＳＮ４に受信されたセグメントは、再配信のためにバッファ５に書込まれると共にＲＮＣ３に送信される。
【００３７】
コンテンツサーバ７により順次送信されるセグメントの各々には、コンテンツ識別情報であるコンテンツＩＤと、当該コンテンツを構成する何番目のセグメント群に属するかを示すセグメント群番号と、セグメント群の何番目のセグメントであるかを示すセグメント番号とが付加されている。例えば、コンテンツを構成するセグメント数が６であり１つのセグメント群に属するセグメント数を３とするならば、１〜３番目のセグメントの各々にはセグメント群番号Ｇ＃１が、４〜６番目のセグメントの各々にはセグメント群番号Ｇ＃２が付加される。さらに、１番目のセグメントにはセグメント番号Ｓｅｇ＃１が、２番目のセグメントにはセグメント番号Ｓｅｇ＃２が、３番目のセグメントにはセグメント番号Ｓｅｇ＃３が、４番目のセグメントにはセグメント番号Ｓｅｇ＃１が、５番目のセグメントにはセグメント番号Ｓｅｇ＃２が、６番目のセグメントにはセグメント番号Ｓｅｇ＃３が付加される。
【００３８】
もちろん、セグメント群番号を使用しないようにしてもよい。この場合、コンテンツサーバ７により順次送信されるセグメントの各々には、コンテンツ識別情報であるコンテンツＩＤと、当該コンテンツを構成する何番目のセグメントであるかを示すセグメント番号とが付加されている。例えば、コンテンツを構成するセグメント数が６であるならば、１番目のセグメントにはセグメント番号Ｓｅｇ＃１が、２番目のセグメントにはセグメント番号Ｓｅｇ＃２が、３番目のセグメントにはセグメント番号Ｓｅｇ＃３が、４番目のセグメントにはセグメント番号Ｓｅｇ＃４が、５番目のセグメントにはセグメント番号Ｓｅｇ＃５が、６番目のセグメントにはセグメント番号Ｓｅｇ＃６が付加される。
【００３９】
ＵＥ１−１〜１−４の各々は、図２のステップＡ１４において同報配信され受信されたセグメントに付加されている情報（コンテンツＩＤ、セグメント群番号、セグメント番号）を基に、同報配信されたコンテンツのうち正常に受信できなかったセグメント（受信に失敗したセグメント）を認識する。受信に失敗したセグメントを検出したＵＥは、ネットワークに対して受信に失敗したセグメントの再配信を要求する。
【００４０】
図３はＵＥがネットワークに対し再配信を要求する際に送信する情報パラメータを示す図である。図３に示したように、再配信を要求するＵＥが再配信要求のために送信する情報は、当該ＵＥが正当な端末であることを証明するための情報（配信要求時情報）と、再配信が必要なセグメントを示す情報（再配信要求データ情報）とを含んでいる。
【００４１】
配信要求時情報としては、配信要求時のセル識別情報と、配信要求時の認証応答情報と、配信要求時の認証受信情報とがある。再配信要求の際には、これら情報のうち少なくとも１つがネットワークに送信される。配信要求時のセル識別情報は、ＵＥが配信要求をなしたときに（図２のステップＡ１）当該ＵＥが存在していたセルを示す情報である。なお、ノードＢが複数の指向性アンテナを用いてセクタ化されている場合は、個々のセクタをセルと称するものとする。配信要求時の認証応答情報は、ＵＥによる配信要求時のユーザ認証のために当該ＵＥが認証応答としてネットワークに返した情報、すなわち認証演算結果（図２のステップＡ８）である。配信要求時の認証受信情報は、ＵＥによる配信要求時のユーザ認証のために当該ＵＥがネットワークから受信した情報、すなわち乱数（図２のステップＡ６）である。これらの情報を当該ＵＥ以外のＵＥが知ることは困難であるので、これら情報のうち少なくとも１つを用いることにより、当該ＵＥになりすまして不当にコンテンツを受信しようとするＵＥからの再配信要求を拒むことができる。
【００４２】
再配信要求データ情報としては、再配信要求コンテンツ情報と、受信済データ情報と、未受信データ情報とがある。再配信要求コンテンツ情報は、受信に失敗したセグメントのコンテンツを示すコンテンツＩＤである。受信済データ情報は、正常に受信できたセグメント（受信に成功したセグメント）のセグメント番号及びセグメント群番号である。未受信データ情報は、受信に失敗したセグメントのセグメント番号及びセグメント群番号である。これらの情報を用いることにより、ＵＥからの再配信要求を受けたネットワークは当該ＵＥに再配信すべきセグメントを認識することができる。
【００４３】
なお、再配信要求の際には、ＵＥは、再配信要求データ情報として再配信要求コンテンツ情報と受信済データ情報及び未受信データ情報の少なくとも一方とをネットワークに送信する。再配信要求コンテンツ情報と受信済データ情報及び未受信データ情報の一方とを基に、当該ＵＥに再配信すべきセグメントを認識することができるためである。同報配信されたコンテンツのうち受信に成功したセグメント数が受信に失敗したセグメント数より小であれば、データ量が少ない受信済データ情報を送信することが考えられる。
【００４４】
図４は図１に示したコンテンツ配信システムのコンテンツ再配信動作例を示すシーケンスチャートである。以下では、ＵＥ１−１に着目して再配信動作を説明する。図１及び４において、ＵＥ１−１は、ノードＢ２−１から同報チャネルを介してセグメントを受信すると、受信セグメントの監査を行い（ステップＢ１）、受信セグメントに付加されている情報（コンテンツＩＤ、セグメント群番号、セグメント番号）を基に、欠損データすなわち受信に失敗したセグメントを確認する（ステップＢ２）。
【００４５】
そして、ＵＥ１−１は自動要求モードに遷移し（ステップＢ３）ネットワークに対して再配信を要求することになる（ステップＢ４、ステップＢ５）。自動要求モードへは、ステップＢ２においてＵＥ１−１が受信に失敗したセグメントを所定数認識したときに遷移するようにしてもよいし、コンテンツの同報配信の開始から所定時間経過後に遷移するようにしてもよいし、また、コンテンツの同報配信終了後に遷移するようにしてもよい。
【００４６】
ステップＢ３において自動要求モードに遷移したＵＥ１−１は、ステップＢ２において検出された受信に失敗したセグメントの再配信を要求すべく、配信要求時情報及び再配信要求データ情報（図３参照）をノードＢ２−１及びＲＮＣ３を介してｘＧＳＮ４に送信する（ステップＢ４、ステップＢ５）。
【００４７】
ｘＧＳＮ４は、ＵＥ１−１からの再配信要求に応答して、配信要求時情報を基にＵＥ１−１への再配信を行うか否かを判断する（ステップＢ６）。ＵＥ１−１により送信された配信要求時情報が配信要求時の認証応答情報（図２のステップＡ７においてＵＥ１−１が記憶している演算結果）であれば、ｘＧＳＮ４は、これと、ネットワークによりＵＥ１−１の認証のためになされたユーザ認証の演算結果（図２のステップＡ５においてｘＧＳＮ４が記憶している）とを照合することになる。なお、ＵＥ１−１の移動によりＵＥ１−１からの再配信要求が別のｘＧＳＮに発せられる場合には、当該別のｘＧＳＮはｘＧＳＮ４またはＨＬＲ６からネットワークによる演算結果を取得して照合を行うようにすればよい。
【００４８】
また、図３に示したように、配信要求時情報として配信要求時の認証受信情報を用いてもよい。この場合、図２のステップＡ７においてｘＧＳＮ４からの乱数を記憶しておき、これをステップＢ４において送信する。ｘＧＳＮ４は、これと、ネットワークによりＵＥ１−１の認証のために生成された乱数（図２のステップＡ５においてｘＧＳＮ４が記憶している）とを照合することになる。
【００４９】
また、図３に示したように、配信要求時情報として配信要求時のセル識別情報を用いてもよい。この場合、図２のステップＡ１においてＵＥ１−１がノードＢ２−１のセルを示す情報をｘＧＳＮ４に送信すると共に記憶し、ｘＧＳＮ４は受信した当該情報を記憶しておき、ＵＥ１−１は当該情報をステップＢ４において送信する。ｘＧＳＮ４は、これと、ｘＧＳＮ４が記憶している当該情報とを照合することになる。
【００５０】
このように配信要求時情報を用いることにより、図２のステップＡ２〜Ａ８の処理と同様の処理を行うことなく、再配信を要求するＵＥの正当性を確認することができ、再配信のためのユーザ認証処理の簡素化を実現することができる。
【００５１】
ステップＢ６において、ｘＧＳＮ４は、ＵＥ１−１に再配信を行うことを決定すると、すなわちＵＥ１−１の正当性を確認すると、ＵＥ１−１に個別チャネルを割り当てるためＲＮＣ３に個別チャネルの設定を要求する（ステップＢ７）。ＲＮＣ３は、ｘＧＳＮ４からの個別チャネル設定要求に応答して、ノードＢ２−１のセル内に存在するＵＥ１−１に個別チャネルを割り当てるための個別チャネル設定処理を行う（ステップＢ８）。この個別チャネル設定処理により、ノードＢ２−１とＵＥ１−１との間に個別チャネルが設定される（ステップＢ９）。
【００５２】
そして、ｘＧＳＮ４は、ＵＥ１−１からの再配信要求データ情報を基に認識されるＵＥ１−１に再配信すべきセグメント（被要求セグメント）を再配信用バッファ５から読み出して順次送信することにより再配信を行う（ステップＢ１０）。ｘＧＳＮ４により順次送信されたセグメントの各々は、ＲＮＣ３を介してノードＢ２−１に受信され、ノードＢ２−１は、受信セグメントを個別チャネルを用いてＵＥ１−１に送信する。このようにして、ＵＥ１−１が受信に失敗したセグメントがＵＥ１−１にのみ再配信される。
【００５３】
ステップＢ１０における再配信では、被要求セグメントの各々を単発的に順次送信するようにしてもよいが、被要求セグメントと、これら被要求セグメント間のセグメント（ＵＥ１−１が受信に成功したセグメント）とを一つのデータとして一括して送信するようにしてもよい。これは、単発的に被要求セグメントを送信するよりも、被要求セグメント間のセグメントも加えて一括して被要求セグメントを送信したほうが、総データ量が減少する場合があるからである。例えば、被要求セグメントのセグメント番号がそれぞれ＃１、＃３、＃５、＃７であるときに、これら被要求セグメントを単発的に送信する場合、各々に送信先アドレス等を示すヘッダ情報を付加する必要がある。これに対して、セグメント番号がそれぞれ＃２、＃４、＃６であるセグメントも加えて、＃１〜＃７のセグメントを１つのデータとして送信すれば、ヘッダ情報は１つで済むことになる。
【００５４】
なお、ＵＥ１−１への再配信を開始する際に、被要求セグメントがバッファ５にない場合、ｘＧＳＮ４は、ＵＥ１−１への再配信を行う前に被要求セグメントをコンテンツサーバ７からダウンロードするようにする（ステップＢ１１）。また、ＵＥ１−１への再配信の途中で被要求セグメントがバッファ５になくなった場合にも、ｘＧＳＮ４は、被要求セグメントをコンテンツサーバ７からダウンロードするようにする（ステップＢ１２）。
【００５５】
上述したように、ＵＥ１−１は、コンテンツの同報配信中に、すなわち同報チャネルが設定されているときに、ステップＢ３の自動要求モードに遷移する場合がある。この場合、ＲＮＣ３は、現に設定されている同報チャネルを開放することなく、ステップＢ９の個別チャネルを設定するようにする。これにより、ＵＥ１−１への再配信と各ＵＥへの同報配信とを並行して行うことが可能となる。
【００５６】
また、個別チャネルのデータ伝送速度は同報チャネルのデータ伝送速度より大きいことが望ましい。これは、再配信を行う際、個別チャネルのデータ伝送速度が同報チャネルのデータ伝送速度より遅いと、個別チャネルを用いて再配信されるデータが同報チャネルを用いて同報配信されるデータに追いつくことが不可能となるからである。
【００５７】
さらに、ステップＢ６においてＵＥ１−１の正当性が確認された後、ｘＧＳＮ４は、ＵＥ１−１が受信に失敗したセグメント数及びＵＥ１−１が受信に成功したセグメント数  （これらはＵＥ１−１からの再配信要求データ情報を基に求めることができる）を基に、コンテンツのうち未だ同報配信されていないセグメントを個別チャネルを用いてＵＥ１−１に送信するか否かを決定するようにしてもよい。すなわち、“受信に失敗したセグメント数／受信に成功したセグメント数”が所定の閾値以上である場合、ＵＥ１−１の電波受信状況が悪いと判断し、ｘＧＳＮ４は、ステップＢ１０の再配信終了後、既に設定されている個別チャネルを用いてＵＥ１−１に未配信データを送信する。ノードＢ２−１がＵＥ１−１との間に設定されている個別チャネルの送信電力制御を行うので、ＵＥ１−１がデータ受信に失敗する可能性を低くすることができる。
【００５８】
コンテンツの同報配信終了後にＵＥ１−１が再配信要求をなした場合に、“受信に失敗したセグメント数／受信に成功したセグメント数”が所定の閾値以上であるとき、ｘＧＳＮ４は、ステップＢ１０の再配信終了後、同報配信が予定されている別のコンテンツをこの同報配信に先立って、既に設定されている個別チャネルを用いてＵＥ１−１に配信するようにしてもよい。
【００５９】
図５は図１に示したコンテンツ配信システムのコンテンツ再配信動作の別の例を示すシーケンスチャートである。以下では、ＵＥ１−１に着目して再配信動作を説明する。図１及び５において、ＵＥ１−１は、ノードＢ２−１から同報チャネルを介してセグメントを受信すると、受信セグメントの監査を行い（ステップC １）、受信セグメントに付加されている情報（コンテンツＩＤ、セグメント群番号、セグメント番号）を基に、欠損データすなわち受信に失敗したセグメントを確認する（ステップC ２）。
【００６０】
そして、ＵＥ１−１は、欠損データをユーザに報知すべく、各欠損データのコンテンツＩＤ、セグメント群番号及びセグメント番号を画面に表示する。これにより、ユーザが、再送セグメントすなわち再配信を望むセグメントを決定すると（ステップC ３）、ＵＥ１−１はネットワークに対して再配信を要求することになる（ステップC ４、ステップC ５）。
【００６１】
このとき、ＵＥ１−１は、ステップC ３においてユーザにより決定されたセグメントの再配信を要求すべく、配信要求時情報及び再配信要求データ情報（図３参照）をノードＢ２−１及びＲＮＣ３を介してｘＧＳＮ４に送信する（ステップC ４、ステップC ５）。
【００６２】
ｘＧＳＮ４は、ＵＥ１−１からの再配信要求に応答して、配信要求時情報を基にＵＥ１−１への再配信を行うか否かを判断する（ステップC ６）。このステップC ６における配信可否判定の動作は、図４のステップＢ６における配信可否判定の動作と同様である。
【００６３】
ｘＧＳＮ４は、ＵＥ１−１に再配信を行うことを決定すると、すなわちＵＥ１−１の正当性を確認すると、再配信要求データ情報を基に、ＵＥ１−１に再配信を実行するか否かを判断させるための再配信判断用情報を生成する（ステップC ６）。再配信判断用情報には、再配信を実行した場合に再配信に要する時間情報及びＵＥ１−１に課金される料金情報の少なくとも一方が含まれる。ｘＧＳＮ４は、ステップC ６において生成された再配信判断用情報をＲＮＣ３及びノードＢ２−１を介してＵＥ１−１に送信する（ステップC ７）。
【００６４】
ＵＥ１−１は、ｘＧＳＮ４からの再配信判断用情報の受信に応答して、再配信判断用情報を画面に表示する。ユーザは、ＵＥ１−１の画面に表示された再配信判断用情報を基に再配信の要否を決定する（ステップC ８）。ＵＥ１−１は、ユーザによる決定をノードＢ２−１及びＲＮＣ３を介してｘＧＳＮ４に通知する（ステップC ９）。ｘＧＳＮ４は、当該通知によりＵＥ１−１が再配信を要求していないことを確認したならば、ＵＥ１−１に対する再配信を行わないようにする。
【００６５】
一方、ｘＧＳＮ４は、当該通知によりＵＥ１−１が再配信を要求していることを確認したならば、ＵＥ１−１に個別チャネルを割り当てるためＲＮＣ３に個別チャネルの設定を要求する（ステップC １０）。ＲＮＣ３は、ｘＧＳＮ４からの個別チャネル設定要求に応答して、ノードＢ２−１のセル内に存在するＵＥ１−１に個別チャネルを割り当てるための個別チャネル設定処理を行う（ステップC １１）。この個別チャネル設定処理により、ノードＢ２−１とＵＥ１−１との間に個別チャネルが設定される（ステップC １２）。
【００６６】
そして、ｘＧＳＮ４は、ＵＥ１−１からの再配信要求データ情報を基に認識されるＵＥ１−１に再配信すべきセグメント（被要求セグメント）を再配信用バッファ５から読み出して順次送信することにより再配信を行う（ステップC １３）。ｘＧＳＮ４により順次送信されたセグメントの各々は、ＲＮＣ３を介してノードＢ２−１に受信され、ノードＢ２−１は、受信セグメントを個別チャネルを用いてＵＥ１−１に送信する。このようにして、ＵＥ１−１が受信に失敗したセグメントがＵＥ１−１にのみ再配信される。
【００６７】
なお、被要求セグメントがバッファ５にない場合、ｘＧＳＮ４は、被要求セグメントをコンテンツサーバ７からダウンロードするようにする（ステップC １４）。
【００６８】
次に、本発明の第２の実施例によるコンテンツ配信システムについて図面を参照して説明する。図６は本発明の第２の実施例によるコンテンツ配信システムの構成を示す図であり、図１と同等部分は同一符号にて示している。図６に示した本発明の第２の実施例によるコンテンツ配信システムは、ｘＧＳＮ４が再配信用バッファ５を有していない点で、図１に示した本発明の第１の実施例によるコンテンツ配信システムと異なっている。
【００６９】
図６に示したコンテンツ配信システムのコンテンツ同報配信動作は図２に示した動作と同様であるので、その説明を省略する。
【００７０】
図７は図６に示したコンテンツ配信システムのコンテンツ再配信動作例を示すシーケンスチャートである。以下では、ＵＥ１−１に着目して再配信動作を説明する。なお、図７のステップＤ１〜ステップＤ９の処理は図４のステップＢ１〜ステップＢ９の処理と同様であるので、その説明を省略する。
【００７１】
図６及び７において、ステップＤ６においてＵＥ１−１の正当性が確認され、その結果ステップＤ９においてＵＥ１−１とノードＢ２−１間に個別チャネルが設定されると、ｘＧＳＮ４は、ＵＥ１−１からの再配信要求データ情報（図３参照）を基に認識されるＵＥ１−１が再配信を要求するセグメント（被要求セグメント）である各再配信セグメントをコンテンツサーバ７に要求し、コンテンツサーバ７は、ｘＧＳＮ４からの要求に対する応答として各再配信セグメントをｘＧＳＮ４に送信する（ステップＤ１０）。ステップＤ１０における１つの「再配信データ要求」として、ｘＧＳＮ４は１つの再配信データのみを要求し、この要求に対する「再配信データ応答」として、コンテンツサーバ７は当該１つの再配信データをｘＧＳＮ４に送信する。すなわち、再配信データの数だけ「再配信データ要求」がｘＧＳＮ４から発せられることになる。
【００７２】
ｘＧＳＮ４は、ステップＤ１０においてコンテンツサーバ７により送信された各再配信データを受信すると、受信された各再配信データを送信することにより再配信を行う（ステップＤ１１）。ｘＧＳＮ４により送信された各セグメントは、ＲＮＣ３を介してノードＢ２−１に受信され、ノードＢ２−１は、受信セグメントを個別チャネルを用いてＵＥ１−１に送信する。このようにして、ＵＥ１−１が受信に失敗したセグメントがＵＥ１−１にのみ再配信される。
【００７３】
なお、ステップＤ１０において、ｘＧＳＮ４がコンテンツサーバ７から１つの再配信データを受信すると、次の再配信データをコンテンツサーバ７に要求するようにする。また、ステップＤ１０及び１１において、ｘＧＳＮ４がコンテンツサーバ７から受信した１つの再配信データをＵＥ１−１に送信すると、次の再配信データをコンテンツサーバ７に要求するようにしてもよい。
【００７４】
図８は図６に示したコンテンツ配信システムのコンテンツ再配信動作の別の例を示すシーケンスチャートである。以下では、ＵＥ１−１に着目して再配信動作を説明する。なお、図８のステップＥ１〜ステップＥ１２の処理は図５のステップＣ１〜ステップＣ１２の処理と同様であるので、その説明を省略する。
【００７５】
図６及び８において、ステップＥ６においてＵＥ１−１の正当性が確認され、ステップＥ９においてＵＥ１−１からの通知によりＵＥ１−１が再配信を要求していることを確認し、その結果ステップＥ１２においてＵＥ１−１とノードＢ２−１間に個別チャネルが設定されると、ｘＧＳＮ４は、ＵＥ１−１からの再配信要求データ情報（図３参照）を基に認識されるＵＥ１−１が再配信を要求するセグメント（被要求セグメント）である各再配信セグメントをコンテンツサーバ７に要求し、コンテンツサーバ７は、ｘＧＳＮ４からの要求に対する応答として各再配信セグメントをｘＧＳＮ４に送信する（ステップＥ１３）。ステップＥ１３における１つの「再配信データ要求」として、ｘＧＳＮ４は１つの再配信データのみを要求し、この要求に対する「再配信データ応答」として、コンテンツサーバ７は当該１つの再配信データをｘＧＳＮ４に送信する。すなわち、再配信データの数だけ「再配信データ要求」がｘＧＳＮ４から発せられることになる。
【００７６】
ｘＧＳＮ４は、ステップＥ１３においてコンテンツサーバ７により送信された各再配信データを受信すると、受信された各再配信データを送信することにより再配信を行う（ステップＥ１４）。ｘＧＳＮ４により送信された各セグメントは、ＲＮＣ３を介してノードＢ２−１に受信され、ノードＢ２−１は、受信セグメントを個別チャネルを用いてＵＥ１−１に送信する。このようにして、ＵＥ１−１が受信に失敗したセグメントがＵＥ１−１にのみ再配信される。
【００７７】
なお、ステップＥ１３において、ｘＧＳＮ４がコンテンツサーバ７から１つの再配信データを受信すると、次の再配信データをコンテンツサーバ７に要求するようにする。また、ステップＥ１３及び１４において、ｘＧＳＮ４がコンテンツサーバ７から受信した１つの再配信データをＵＥ１−１に送信すると、次の再配信データをコンテンツサーバ７に要求するようにしてもよい。
【００７８】
このように、本発明の各実施例によるコンテンツ配信システムでは、同報チャネルを用いて同報配信されたコンテンツの再配信を要求するＵＥに対して個別チャネルを用いて当該コンテンツを再配信するようにしているので、コンテンツ配信の高い確実性と無線資源の有効使用を実現することができる。また、配信要求時情報を基に再配信を要求するＵＥの正当性を確認することにより正当なＵＥにのみ再配信を行うようにしているので、本システムを運用する事業者の財産であるコンテンツを保護することが可能となる。
【００７９】
なお、図２のステップＡ１１、図４のステップＢ８、図５のステップＣ１１、図７のステップＤ８及び図８のステップＥ１１の各々におけるＲＮＣ３の処理動作は、予めＲＯＭ等の記憶媒体に格納されたプログラムを、ＣＰＵ（制御部）となるコンピュータに読み取らせて実行せしめることにより、実現できることは勿論である。
【００８０】
【発明の効果】
本発明による効果は、コンテンツ配信の高い確実性と無線資源の有効使用を実現することができることである。その理由は、配信対象の複数の移動通信端末のうち移動通信ネットワーク側から同報配信されたコンテンツの受信に失敗した各端末に対して当該コンテンツを個別的に再配信するようにしているためである。
【図面の簡単な説明】
【図１】本発明の第１の実施例によるコンテンツ配信システムの構成を示す図である。
【図２】図１及び６の各コンテンツ配信システムのコンテンツ同報配信動作例を示すシーケンスチャートである。
【図３】ＵＥがネットワークに対し再配信を要求する際に送信する情報パラメータを示す図である。
【図４】図１のコンテンツ配信システムのコンテンツ再配信動作例を示すシーケンスチャートである。
【図５】図１のコンテンツ配信システムのコンテンツ再配信動作の別の例を示すシーケンスチャートである。
【図６】本発明の第２の実施例によるコンテンツ配信システムの構成を示す図である。
【図７】図６のコンテンツ配信システムのコンテンツ再配信動作例を示すシーケンスチャートである。
【図８】図６のコンテンツ配信システムのコンテンツ再配信動作の別の例を示すシーケンスチャートである。
【符号の説明】
１−１〜１−４    ＵＥ
２−１，２−２    ノードＢ
３    ＲＮＣ
４    ｘＧＳＮ
５    再配信用バッファ
６    ＨＬＲ
７    コンテンツサーバ
【図１】
0003687631.tif 000002
【図２】
0003687631.tif 000003
【図３】
0003687631.tif 000004
【図４】
0003687631.tif 000005
【図５】
0003687631.tif 000006
【図６】
0003687631.tif 000007
【図７】
0003687631.tif 000008
【図８】
0003687631.tif 000009